(57)【特許請求の範囲】
【請求項１】
外部入力線と接続される基板が取り付けられて壁面に半埋め込み状態で設置される第１の筐体と、室内側の機器と接続される部品が実装された基板が内側に取り付けられて前記第１の筐体を塞いで取り付けられる第２の筐体と、前記第１の筐体側の前記基板と前記第２の筐体側の前記基板との間を回路的に接続しているケーブルとを有した情報機器用接続装置において、
前記第１の筐体と前記第２の筐体との間を前記ケーブルよりも短い紐で接続したことを特徴とする情報機器用接続装置。
【請求項２】
前記紐はループ状に形成されており、一端側がワッシャを介して一方の筐体に固定され、他端側がループ内を通したピン状のボス部に掛け止めされている請求項１に記載の情報機器用接続装置。
【請求項３】
前記紐は前記第２の筐体を前記第１の筐体に取り付けるとき、前記第１の筐体と前記第２の筐体との間に折り畳んで収納させ、外部より隠すことができる請求項１または２に記載の情報機器用接続装置。
【発明の詳細な説明】
【０００１】
【産業上の利用分野】
本発明は、住居内の各所に設置される情報機器を住居内あるいは外部とケーブル回線を用いて電気的に接続するのに使用される情報機器用接続装置に関するものである。
【０００２】
【従来の技術】
情報化が進むに従い、住居内に設置される情報機器、いわゆる住宅情報機器を居室間あるいは外部とケーブル回線を用いて接続し、情報のやり取りを行うことが多くなりつつある。この場合、その都度、ケーブル回線を設置すると壁面等にケーブルが這う形になり、見栄えを悪くするばかりか、他の物がぶっかったり、ネズミがかじったり等して損傷する虞がある。そこで、壁内に回線ケーブルを予め埋め込んだ状態に配線し、その回線ケーブルに接続装置を取り付けておき、その接続装置を介して情報機器と回線ケーブルとを接続する方法等が用いられている。
【０００３】
図５は従来における情報機器用接続装置の一例を示す要部分解斜視図である。図５において、この情報機器用接続装置５１は、大きくはロアカバー５２、下基板５３、上基板５４、アッパーカバー５５等で構成されている。
【０００４】
さらに詳述すると、ロアカバー５２は、ベース部５２ａと、このベース部５２ａの中心内側を後方へ膨出させて六面体をした箱状に形成してなる凹部５２ｂとを一体に有して、樹脂材で形成されている。また、ベース部５２ａの周囲には、この周囲の一部が上方に連続して折り曲げられて周回壁５２ｃが形成されており、この周回壁５２ｃによってベース部５２ａ上に凹所５６が作られた状態となっている。さらに、ベース部５２ａの四隅にそれぞれ偏った位置には、上下方向に貫通した取付穴５７が各々形成されている。一方、凹部５２ｂの底面には２つのボス５８が凹部５２ｂと一体に形成されているとともに、凹部５２ｂの側面には、外部入力線７０（図７参照）をロアカバー５２内に引き込むための配線導入孔６７が形成されている。
【０００５】
下基板５３はロアカバー５２内に受け入れ可能な大きさをした板状体として形成されているとともに、ロアカバー５２側のボス５８とそれぞれ対応した位置にはボス５８の直径よりも小さい内径をした取付穴５９が各々形成されている。また、下基板５３の上面側には、コネクタ半体６０ａと、配線工事時に図示しないセンサや電力線等の外部入力線７０を受ける端子台６０ｃが、それぞれ取付穴５９を逃げた位置に配設されている。
そして、この下基板５３は、予め凹部５２ｂ内に入れられて取付穴５９をボス５８に対応させ、この状態で取付穴５９を通ってボス５８にねじ込まれるタッピングスクリュー６１で固定して取り付けられる。
【０００６】
アッパーカバー５５は樹脂材で形成されており、ロアカバー５２のベース部５２ａよりも若干大きく形成されたベース部５５ａと、このベース部５５ａの内面側における四隅より略直角に同じ方向に向かって各々突出されている４つのボス５５ｂを一体に有しているとともに、ベース部５５ａの周囲には、この周囲の一部が下方に連続して折り曲げられて周回壁５５ｃが形成され、この周回壁５５ｃの内側にロアカバー５２の周回壁５２ｃを受け入れるための凹所５５ｄが形成されている。そして、このアッパーカバー５５は、ロアカバー５２と突き合わされると、凹所５５ｄ内にロアカバー５２が受け入れられて、周回壁５２ｃが内側で周回壁５５ｃが外側となって互いに重なり合った状態となるように構成されている。また、周回壁５５ｃには、ロアカバー５２と重なり合った状態で、ロアカバー５２におけるベース部５２ａの裏面側と対応した位置に固定ネジ６２を貫通させてネジ止めするためのネジ孔６３が形成されている。一方、４つのボス部５５ｂは、ロアカバー５２の凹部５２ｂの内側に突出可能な位置に配置されている。
【０００７】
上基板５４は、ロアカバー５２の凹部５２ｂ内に受け入れ可能な大きさをした板状体として形成されているとともに、アッパーカバー５５のボス部５５ｂと対応した各位置に取付孔６３がそれぞれ形成されている。また、上基板５４の内面側には図示しないが警報ランプや音響装置等の部品が実装されているとともに、先端に下基板５３側のコネクタ半体６０ａと着脱自在に接続可能なコネクタ半体６０ｂが取り付けられているケーブル６５の他端側が接続されている。
そして、この上基板５４は、取付孔６３をボス部５５ｂに対応させ、この状態で取付孔６３を通ってボス部５５ｂにねじ込まれるタッピングスクリュー６４で固定して取り付けられる。また、こうして上基板５４がアッパーカバー５５に取り付けられた状態で、アッパーカバー５５がロアカバー５２に突き合わされて位置決めされると、下基板５３との間にコネクタ半体６０ａとコネクタ半体６０ｂを受け入れる隙間が確保された状態で、ボス部５５ｂに取り付けられている上基板５４が凹部５２ｂ内に受け入れられる。
【０００８】
そして、このように構成された情報機器用接続装置では、下基板５３の上面側に取り付けられている外部入力線７０を受ける端子台６０ｂを上基板５４側に固定して取り付けておくことは施工の容易性を阻害することになるので出来ない。また、上基板５４と下基板５３とを回路的に接続しているケーブル６５のコネクタ６０（コネクタ半体６０ａ，６０ｂ）間は、これを外した場合における復帰時の接続不良やミスの発生を防ぐため、いかなる場合も外すことはできない。したがって、工場での組立後は、上基板５４をタッピングスクリュー６４で取り付けたアッパーカバー５５と下基板５３をタッピングスクリュー６１で取り付けたロアカバー５２との間をコネクタ６０とケーブル６５で接続された状態で常に取り扱われることになる。
また、工場からユーザーに渡るまでの間は、上基板５４をタッピングスクリュー６４で取り付けたアッパーカバー５５と下基板５３をタッピングスクリュー６１で取り付けたロアカバー５２とを互いに突き合わせ、この状態で取付孔６３に固定ネジ６２をねじ込み、この固定ネジ６２の一部をロアカバー５２側のベース部５２ａの裏面に突出させることによって仮組立されて取り扱われる。
【０００９】
図６は、このようにして上基板５４をタッピングスクリュー６４で取り付けたアッパーカバー５５と下基板５３をタッピングスクリュー６１で取り付けたロアカバー５２との間をコネクタとケーブル６５で接続した状態にして組み立てられている情報機器用接続装置５１を住宅等の壁面１０１に組み込む施工例を示すものである。この場合、壁面１０１側には、ロアカバー５２の凹部５２ｂを受け入れるための開口１０２が形成されている。
【００１０】
そして、壁面１０１に取り付ける場合は、まず仮組立している固定ネジ６２を取り外し、ロアカバー５２とアッパーカバー５５とを分離する。
次に、ロアカバー５２の凹部５２ｂを開口１０２内に差し込み、ベース部５２ａを壁面１０１に密着させ、この状態で取付孔５７を通してタッピングスクリュー６６を壁面１０１側にネジ止めし、ロアカバー５２を壁面１０１に固定する。次いで、ロアカバー５２の配線導入孔６７より外部入力線７０を凹部５２ｂ内に引き込み、下基板５３の端子台６０ｃに接続する。これにより、ロアカバー５２側における壁面１０１への取り付けが完了する。この後、アッパーカバー５５をロアカバー５２に突き合わせ、この状態で取付孔６３に固定ネジ６２をねじ込むと、アッパーカバー５５がロアカバー５２に再び固定されて施工を完了させることができる。
図７は、このようにして情報機器用接続装置５１を壁面１０１に取り付けられた状態で示している断面図である。
【００１１】
【発明が解決しようとする課題】
しかしながら、上述した従来構造の情報機器用接続装置５１では、壁面１０１にロアカバー５２を取り付ける施工時や、外部入力線７０を接続する時等、ロアカバー５２からアッパーカバー５５を分離させた状態では、アッパーカバー５５をケーブル６４でロアカバー５２から吊り下げた、いわゆる宙吊りになってしまい、ケーブル６４のコネクタ６０の部分に力が掛かってコネクタのピンが抜けてしまったり、あるいはケーブル６５あるいはコネクタ６０の半田が剥がれてしまうことがあり、それらに気づかずに施工を完了した場合、住宅情報機器は動作しない。
また、上記のような事故を防ぐために、施工者にアッパーカバー５５を片手で持って行う作業を強いると、手間がかかり過ぎてしまい、いたずらに施工時間を長引かせてしまうと言う問題点があった。
【００１２】
本発明は、上記問題点に鑑みてなされたものであり、その目的は２つの筐体間を回路的に接続している接続手段に、無理な力を掛けずに、一方の筐体を他方の筐体に対して吊るして宙吊りにした状態で施工作業を進めることができるようにして、作業性を向上させることができる情報機器用接続装置を提供することにある。
【００１３】
【課題を解決するための手段】
この目的は、本発明にあっては、外部入力線と接続される基板が取り付けられて壁面に半埋め込み状態で設置される第１の筐体と、室内側の機器と接続される部品が実装された基板が内側に取り付けられて前記第１の筐体を塞いで取り付けられる第２の筐体と、前記第１の筐体側の前記基板と前記第２の筐体側の前記基板との間を回路的に接続しているケーブルとを有した情報機器用接続装置において、前記第１の筐体と前記第２の筐体との間を前記ケーブルよりも短い紐で接続した構成とすることによって達成される。
【００１４】
【作用】
この構成によれば、第２の筐体が第１の筐体に対して取り付けられるまでの間、第２の筐体を紐で宙吊りにした状態にして作業をすることができる。すなわち、第２の筐体を第１の筐体に対して宙吊りにしても、ケーブルには第２の筐体の重みが掛かることがない。
【００１５】
【実施例】
以下、本発明の実施例について図面を用いて詳細に説明する。
図１は本発明の一実施例として示す情報機器用接続装置の要部分解斜視図である。図１において、この情報機器用接続装置１は、大きくはロアカバー２、下基板３、上基板４、アッパーカバー５、紐部材３１等で構成されている。
【００１６】
さらに詳述すると、ロアカバー２は、ベース部２ａと、このベース部２ａの中心内側を後方へ膨出させて六面体をした箱状に形成してなる凹部２ｂとを一体に有して、樹脂材で筐体として形成されている。また、ベース部２ａの周囲には、この周囲の一部が上方に連続して折り曲げられて周回壁２ｃが形成されており、この周回壁２ｃによってベース部２ａ上に凹所６が作られた状態となっている。さらに、ベース部２ａの四隅にそれぞれ偏った位置には、上下方向に貫通した取付穴７が各々形成され、また一部には紐部材３１の一端側を取り付けるためのボス部２９が形成されている。一方、凹部２ｂの底面には２つのボス８が凹部２ｂと一体に形成されているとともに、凹部２ｂの側面には外部入力線２０（図４参照）をロアカバー２内に引き込むための配線導入孔７が形成されている。
【００１７】
下基板３はロアカバー２内に受け入れ可能な大きさをした板状体として形成されているとともに、ロアカバー２側のボス８とそれぞれ対応した位置にはボス８の直径よりも小さい内径をした取付穴９が各々形成されている。また、下基板３の上面側には、コネクタ半体１０ａと、配線工事時に図示しないセンサや電力線等の外部入力線２０を受ける端子台１０ｃが、それぞれ取付穴９を逃げた位置に配設されている。
そして、この下基板３は、予め凹部２ｂ内に入れられて取付穴９をボス８に対応させ、この状態で取付穴９を通ってボス８にねじ込まれるタッピングスクリュー１１で固定して取り付けられる。
【００１８】
アッパーカバー５は樹脂材で筐体として形成されており、ロアカバー２のベース部２ａよりも若干大きく形成されたベース部５ａと、このベース部５ａの内面側における四隅より略直角に同じ方向に向かって各々突出されている４つのボス５ｂを一体に有しているとともに、ベース部５ａの周囲には、この周囲の一部が下方に連続して折り曲げられて周回壁５ｃが形成され、この周回壁５ｃの内側にロアカバー２の周回壁２ｃを受け入れるための凹所５ｄが形成されている。そして、このアッパーカバー５は、ロアカバー２と突き合わされると、凹所５ｄ内にロアカバー２が受け入れられて、周回壁２ｃが内側で周回壁５ｃが外側となって互いに重なり合った状態となるように構成されている。また、周回壁５ｃにはロアカバー２と重なり合った状態で、ロアカバー２におけるベース部２ａの裏面側と対応した位置に固定ネジ１２を貫通させてネジ止めするためのネジ孔１３が形成されている。一方、４つのボス部５ｂは、ロアカバー２の凹部２ｂの内側に突出可能な位置に配置されている。
【００１９】
上基板４は、ロアカバー２の凹部２ｂ内に受け入れ可能な大きさをした板状体として形成されているとともに、アッパーカバー５のボス部５ｂと対応した各位置に取付孔１３がそれぞれ形成されている。また、上基板４の内面側には図示しないが警報ランプや音響装置等の部品が実装されているとともに、先端に下基板３側のコネクタ半体１０ａと着脱自在に接続可能なコネクタ半体１０ｂが取り付けられているケーブル１５の他端側が接続されている。
そして、この上基板４は、取付孔１３をボス部５ｂに対応させて、この状態で取付孔１３を通ってボス部５ｂにねじ込まれるタッピングスクリュー１４で固定して取り付けられる。また、こうして上基板４がアッパーカバー５に取り付けられた状態で、アッパーカバー５がロアカバー２に突き合わされて位置決めされると、下基板３との間にコネクタ半体１０ａとコネクタ半体１０ｂを受け入れる隙間が確保された状態で、ボス部５ｂに取り付けられている上基板４が凹部２ｂ内に受け入れられる。
【００２０】
紐部材３１は、絶縁性で、かつ可撓性を有したループ状の紐３２と、この紐３２の一端に取り付けられたワッシャ３３とで構成されている。また、ワッシャ３３は紐３２が通された貫通孔３３ａと取付孔３３ｂが形成されている。そして、この紐部材３１は上基板４がアッパーカバー５に取り付けられるとき、１つのボス部５ｂがループ内に通された状態で取り付けられ、これによりボス部５ｂ、すなわちアッパーカバー５に一端側が掛け止めされた状態で取り付けられている。一方、他端側は、ロアカバー２のボス部２９に取付孔３３ｂを対応させ、取付孔３３ｂを通ってボス部５ｂにねじ込まれるタッピングスクリュー３４で固定して取り付けられる。さらに、この紐部材３１は、ケーブル１５よりも短く形成されていて、この紐部材３１でアッパーカバー５を吊るすと、ケーブル１５が張られる前にアッパーカバー５が張られてアッパーカバー５の重みを受けた状態となり、ケーブル１５側にアッパーカバー５側の重みが加わることが無いように形成されている。
【００２１】
そして、このように構成された情報機器用接続装置でも、工場での組立後は、上基板４をタッピングスクリュー１４で取り付けたアッパーカバー５と下基板３をタッピングスクリュー１１で取り付けたロアカバー２との間をコネクタ１０とケーブル１５で接続された状態で常に取り扱われることになる。
また、工場からユーザーに渡るまでの間は、上基板４をタッピングスクリュー１４で取り付けたアッパーカバー５と下基板３をタッピングスクリュー１１で取り付けたロアカバー２とを、この間を紐部材３１で連結した状態で互いに突き合わせ、この状態で取付孔１３に固定ネジ１２をねじ込み、固定ネジ１２の一部をロアカバー５２におけるベース部５２ａの裏面に突出させることによって仮組立されて取り扱われる。なお、この場合、紐３２は折り畳まれて凹部２ｂ内に格納される。
【００２２】
図２は、このようにして上基板４をタッピングスクリュー１４で取り付けたアッパーカバー５と下基板３をタッピングスクリュー１１で取り付けたロアカバー２との間をコネクタ１０とケーブル１５で接続した状態にされて組み立てられている情報機器用接続装置１を住宅等の壁面１０１に組み込む施工例を示すものである。この場合、壁面１０１側には、ロアカバー２の凹部２ｂを受け入れるための開口１０２が形成されている。
【００２３】
そして、壁面１０１に取り付ける場合は、まず仮組立している固定ネジ１２を取り外し、ロアカバー２とアッパーカバー５とを分離する。そして、ロアカバー２を持ってアッパーカバー５を離すと、このアッパーカバー５はロアカバー２に対して紐部材３１で宙吊りにされた状態になるが、ケーブル１５は弛んだ状態にあり、アッパーカバー５の重みはケーブル１５には掛からず、紐部材３１により受けられた状態にある。
次に、ロアカバー２の凹部２ｂを開口１０２内に差し込み、ベース部２ａを壁面１０１に密着させて半埋め込み状態にし、この状態で取付孔７を通してタッピングスクリュー１６を壁面１０１側にネジ止めし、ロアカバー２を壁面１０１に固定する。
次いで、ロアカバー２の配線導入孔１７より外部入力線２０を凹部２ｂ内に引き込み、下基板３の端子台１０ｃに接続する。これにより、ロアカバー２側における壁面１０１への取り付けが完了する。この後、紐３２を折り畳んで凹部２ｂ内に格納させる状態にしながら、アッパーカバー５をロアカバー２に突き合わせ、この状態で取付孔１３に固定ネジ１２をねじ込むと、アッパーカバー５がロアカバー２に再び固定されて施工を完了させることができる。
図４は、このようにして情報機器用接続装置１が壁面１０１に取り付けられた状態で示している断面図である。
【００２４】
したがって、本実施例の情報機器用接続装置によれば、アッパーカバー（第２の筐体）５がロアカバー（第１の筐体）２に対して取り付けられるまでの間、アッパーカバー５を紐部材３１で宙吊りにした状態で作業をしてもケーブル１５にはアッパーカバー５の重みが掛かることがないので、ケーブル１５及びその接続部分等に負担を掛けることなく作業をすることができる。
また、紐３２をループ状に形成し、一端側をワッシャ３３を介してロアカバー２に固定し、他端側をループ内に通されたピン状のボス部５ｂに掛け止めするようにしているので、紐を３２の取り付が簡単にできる。
さらに、アッパーカバー５をロアカバー２に取り付けるとき、ロアカバー２とアッパーカバー５との間に紐３２を折り畳んで収納させて外部より隠すようにしているので、外観上の見栄えを悪くするようなこともない。
【００２５】
【発明の効果】
以上説明したとおり、本発明によれば、第２の筐体が第１の筐体に対して取り付けられるまでの間、第２の筐体を紐で宙吊りにした状態で作業をしてもケーブルには第２の筐体の重みが直接掛かることがないので、ケーブル及びその接続部分等に負担を掛けることなく作業をすることができる。これにより、信頼性並びに作業性が向上する。
また、紐をループ状に形成し、一端側をワッシャを介して一方の筐体に固定し、他端側をループ内に通されたピン状のボス部に掛け止めするようにした場合では、紐を第１の筐体と第２の筐体との間に簡単に取り付けることができる。
さらに、第２の筐体を第１の筐体に取り付けるとき、第１の筐体と第２の筐体との間に紐を折り畳んで収納させて外部より隠すようにした場合では、機器の外観上の見栄えを良くすることができる。
【図面の簡単な説明】
【図１】本発明の一実施例として示す情報機器用接続装置の要部分解斜視図である。
【図２】本発明装置の施工例を説明するための要部分解斜視図である。
【図３】本発明装置の紐部材を単品で示す平面図である。
【図４】本発明装置を壁面に取り付けた状態での概略断面図である。
【図５】従来の情報機器用接続装置の一例を示す要部分解斜視図である。
【図６】従来装置の施工例を説明するための要部分解斜視図である。
【図７】従来装置を壁面に取り付けた状態で示す概略断面図である。
【符号の説明】
１  情報機器用接続装置
２    ロアカバー（筐体）
３    下基板
４    上基板
５    アッパーカバー（筐体）
５ｂ  ボス部
１５  ケーブル
３１  紐部材
３２  紐
３３  ワッシャ
１０１  壁面
【図１】
0003612547.tif 000002
【図２】
0003612547.tif 000003
【図３】
0003612547.tif 000004
【図４】
0003612547.tif 000005
【図５】
0003612547.tif 000006
【図６】
0003612547.tif 000007
【図７】
0003612547.tif 000008